(57)【要約】      （修正有）【課題】片方の手で把持しながら当該片方の手の指で表示中の画像を拡大又は縮小させる際の操作性を向上させた携帯型表示装置を提供する。【解決手段】略矩形の前面を有する薄型筐体１０と、前面に設けられた表示画面１２ａと、薄型筐体１０の左右の端面に対する接触操作を検出する端面操作検出部と、表示画面１２ａに画像を表示する画像表示部と、接触操作に基づいて、画像の拡大又は縮小を行う縮尺変更部と、を有する。縮尺変更部は、端面の一方に対する接触操作の操作位置に基づいて、画像上において注目位置を指定する注目位置指定部と、端面の他方に対する接触操作に基づいて、注目位置が表示画面１２ａ内に表示される状態を維持し、画像を拡大又は縮小する画像変換部とを有する。【選択図】図２
2016018436.tif 000002
【特許請求の範囲】
【請求項１】
略矩形の前面を有する薄型筐体と、
上記前面に設けられた表示画面と、
上記薄型筐体の左右の端面に対する接触操作を検出する端面操作検出手段と、
上記表示画面に画像を表示する画像表示手段と、
上記接触操作に基づいて、上記画像の拡大又は縮小を行う縮尺変更手段とを備え、
上記縮尺変更手段は、上記端面の一方に対する上記接触操作の操作位置に基づいて、上記画像上において注目位置を指定する注目位置指定手段と、
上記端面の他方に対する上記接触操作に基づいて、上記注目位置が上記表示画面内に表示される状態を維持し、上記画像を拡大又は縮小する画像変換手段とを有することを特徴とする携帯型表示装置。
【請求項２】
上記注目位置指定手段は、上記接触操作の操作位置に基づいて、上記注目位置の上下方向の位置を指定することを特徴とする請求項１に記載の携帯型表示装置。
【請求項３】
上記注目位置指定手段は、上記一方の端面に対するタップ操作を判別し、上記タップ操作に基づいて、上記注目位置の左右方向の位置を変更することを特徴とする請求項１又は２に記載の携帯型表示装置。
【請求項４】
上記画像変換手段は、上記画像の拡大又は縮小時に、上記注目位置を上記表示画面における上下方向の略中央に移動させることを特徴とする請求項１〜３のいずれかに記載の携帯型表示装置。
【請求項５】
上記注目位置指定手段は、上記一方の端面に対する上記接触操作が、１本の指による接触操作であるか否かを判別し、２以上の指による接触操作であると判別した場合に、当該接触操作による操作入力を無効化することを特徴とする請求項１〜４のいずれかに記載の携帯型表示装置。
【発明の詳細な説明】
【技術分野】
【０００１】
本発明は、携帯型表示装置に係り、さらに詳しくは、薄型筐体の前面に設けられた表示画面に画像を表示する携帯型表示装置の改良に関する。
【背景技術】
【０００２】
表示画面に対するタッチ操作を検出するタッチパネルを備えた携帯型表示装置には、いわゆるピンチアウト操作によって表示中の画像を拡大させ、ピンチイン操作によって表示中の画像を縮小させる機能を有するものがある（例えば、特許文献１）。ピンチアウト操作は、表示画面に接触させた親指と人差し指との間隔を拡げるタッチ操作である。一方、ピンチイン操作は、表示画面に接触させた親指と人差し指との間隔を狭めるタッチ操作である。また、指を表示画面に沿ってスライドさせるタッチ操作、いわゆるフリック操作により、表示中の画像を上下方向又は左右方向へスクロールさせることができる。
【０００３】
また、特許文献２には、略矩形の平板状の筐体１０の４つの側面に、指の接触位置を検知するためのタッチセンサ１４ａ〜１４ｄを配置した携帯型画像表示装置１が記載されている。この携帯型画像表示装置１では、隣接するタッチセンサにより、親指と人差し指とを互いに近づける操作を検知して表示中の画像を縮小し、親指と人差し指とを互いに遠ざける操作を検知して表示中の画像を拡大する動作が行われる。タッチセンサ１４ａ〜１４ｄを筐体１０の側面に設けることにより、筐体１０の表面及び裏面に表示画面１２ａ及び１２ｂをそれぞれ有する携帯型画像表示装置１において、画像が表示画面１２ａ又は１２ｂのいずれに表示されている場合であっても、表示中の画像を拡大させ、或いは、縮小させるのにタッチセンサ１４ａ〜１４ｄを用いることができる。
【先行技術文献】
【特許文献】
【０００４】
【特許文献１】特開２０１０−１７６３３０号公報
【特許文献２】特開２０１０−２６６３８号公報
【発明の概要】
【発明が解決しようとする課題】
【０００５】
しかしながら、上述した様な従来の携帯型表示装置では、筐体を片方の手で把持しながら、当該片方の手の指で表示中の画像を拡大させ、或いは、縮小させる際の操作性が良くないという問題があった。例えば、ユーザが左手で筐体を把持している場合、ピンチ操作を左手で行うのは困難であることから、左手の指だけで表示中の画像を拡大又は縮小させることができなかった。
【０００６】
また、拡大処理は、表示画面の中央に表示されている領域を中心として行われる。このため、ユーザが表示画面の中央部以外の領域、例えば、表示画面の周縁部に表示されている領域に注目している場合に、その様な領域が拡大処理によって表示画面の外へ移動し、視認できなくなってしまうという問題もあった。
【０００７】
本発明は、上記事情に鑑みてなされたものであり、薄型筐体を片方の手で把持しながら当該片方の手の指で表示中の画像を拡大又は縮小させる際の操作性を向上させることができる携帯型表示装置を提供することを目的とする。また、片方の手で表示中の画像を拡大又は縮小させる際の操作性を向上させつつ、表示中の画像を拡大させた際に、注目位置が表示画面の外に移動して視認できなくなるのを抑制することができる携帯型表示装置を提供することを目的とする。
【課題を解決するための手段】
【０００８】
本発明による携帯型表示装置は、略矩形の前面を有する薄型筐体と、上記前面に設けられた表示画面と、上記薄型筐体の左右の端面に対する接触操作を検出する端面操作検出手段と、上記表示画面に画像を表示する画像表示手段と、上記接触操作に基づいて、上記画像の拡大又は縮小を行う縮尺変更手段とを備え、上記縮尺変更手段が、上記端面の一方に対する上記接触操作の操作位置に基づいて、上記画像上において注目位置を指定する注目位置指定手段と、上記端面の他方に対する上記接触操作に基づいて、上記注目位置が上記表示画面内に表示される状態を維持し、上記画像を拡大又は縮小する画像変換手段とを有するように構成される。
【０００９】
この携帯型表示装置では、薄型筐体の左右の端面に対する接触操作を検出し、端面の一方に対する接触操作の接触位置に基づいて画像上の注目位置を指定する一方、端面の他方に対する接触操作に基づいて、表示中の画像を拡大又は縮小する動作が行われる。このため、薄型筐体を片方の手で把持しながら、当該片方の手の指で表示中の画像を拡大又は縮小させる際の操作性を向上させることができる。
【００１０】
例えば、ユーザが左手で薄型筐体を把持し、表示画面を閲覧している場合、左手の親指を薄型筐体の左端面に接触させるだけで、表示中の画像を拡大させ、或いは、縮小させることができる。また、ユーザが右手で薄型筐体を把持し、表示画面を閲覧している場合には、右手の親指を薄型筐体の右端面に接触させるだけで、表示中の画像を拡大させ、或いは、縮小させることができる。
【００１１】
また、この携帯型表示装置では、端面の一方に対する接触操作の操作位置に応じて注目位置が指定されるので、ユーザは、画像上の任意の位置を注目位置として指定することができる。また、薄型筐体を片方の手で把持しながら、当該片方の手の指で注目位置を指定する際の操作性を向上させることができる。
【００１２】
例えば、ユーザが左手で薄型筐体を把持し、表示画面を閲覧している場合、左手の人差し指又は中指を薄型筐体の右端面に接触させるだけで、画像上の任意の位置を注目位置として指定することができる。また、ユーザが右手で薄型筐体を把持し、表示画面を閲覧している場合、右手の人差し指又は中指を薄型筐体の左端面に接触させるだけで、画像上の任意の位置を注目位置として指定することができる。
【００１３】
また、この携帯型表示装置では、表示中の画像を拡大又は縮小する際に、注目位置が表示画面内に表示される状態を維持する動作が行われる。このため、表示中の画像を拡大させた際に、注目位置が表示画面の外に移動して視認できなくなるのを抑制することができる。
【発明の効果】
【００１４】
本発明によれば、薄型筐体を片方の手で把持しながら当該片方の手の指で表示中の画像を拡大又は縮小させる際の操作性を向上させた携帯型表示装置を提供することができる。また、片方の手で表示中の画像を拡大又は縮小させる際の操作性を向上させつつ、表示中の画像を拡大させた際に、注目位置が表示画面の外に移動して視認できなくなるのを抑制させた携帯型表示装置を提供することができる。
【図面の簡単な説明】
【００１５】
【図１】本発明の実施の形態による携帯型表示装置１の一構成例を示した斜視図である。
【図２】図１の携帯型表示装置１の動作の一例を示した図であり、注目位置の上下方向の位置を指定して表示中の画像を拡大させる場合が示されている。
【図３】図１の携帯型表示装置１の動作の一例を示した図であり、人差し指５による接触エリア６を検知して注目位置のＹ軸方向の位置ｙｃを定める様子が示されている。
【図４】図１の携帯型表示装置１の動作の一例を示した図であり、左手３Ｌの人差し指５のタップ操作を検知して注目位置のＸ軸方向の位置を変更する様子が示されている。
【図５】図１の携帯型表示装置１内の機能構成の一例を示したブロック図である。
【図６】図５の画像変換部１２０の構成例を示した図である。
【図７】図５の携帯型表示装置１における縮尺変換モード時の動作の一例を示したフローチャートである。
【図８】図５の携帯型表示装置１における縮尺変換モード時の動作の一例を示したフローチャートである。
【発明を実施するための形態】
【００１６】
＜携帯型表示装置１＞
図１は、本発明の実施の形態による携帯型表示装置１の一構成例を示した斜視図であり、薄型筐体１０の前面１０Ｆに表示画面１２ａを有するタッチパネル１２が設けられた携帯型表示装置１が示されている。図中には、携帯型表示装置１の一例として、通話機能を備えた携帯電話機が示されている。この携帯型表示装置１は、片手で把持することができ、各種画像の画面表示が可能な端末装置であり、薄型筐体１０の前面１０Ｆに、受話用のレシーバ１１、タッチパネル１２、送話用のマイクロホン１３及び操作キー１４ａ〜１４ｃが設けられている。
【００１７】
薄型筐体１０は、略矩形の前面１０Ｆと、上下方向に細長い左端面１０Ｌ及び右端面１０Ｒとを有する薄型の直方体形状の筐体であり、片方の手で把持することが容易なサイズからなる。レシーバ１１は、薄型筐体１０の上端部に配置され、マイクロホン１３及び操作キー１４ａ〜１４ｃは、薄型筐体１０の下端部に配置されている。薄型筐体１０の前面１０Ｆは、左端面１０Ｌ及び右端面１０Ｒに比べ、面積が広い主面である。タッチパネル１２の表示画面１２ａは、前面１０Ｆの大部分を占めている。
【００１８】
タッチパネル１２は、画像情報が表示される表示画面１２ａを有し、表示画面１２ａに対するタッチ操作の操作位置を検出する入出力装置である。表示画面１２ａは、上下方向に長い略矩形の画面であり、多数の画素からなる。例えば、タッチパネル１２は、ＬＣＤ（液晶ディスプレイ）及びバックライトを表示用デバイスとして備え、静電容量方式で多点検出可能なマルチタッチセンサをセンサ用デバイスとして備える。
【００１９】
レシーバ１１は、受話音を出力するための音声出力装置である。マイクロホン１３は、送話音を入力するための音声入力装置である。操作キー１４ａ〜１４ｃは、いずれも押下型の接点式スイッチからなり、各種機能が割り当てられる。例えば、操作キー１４ａは、前の画面に戻るためのリターンキーである。また、操作キー１４ｂは、ホーム画面を表示するためのホームキーである。また、操作キー１４ｃは、メニュー画面を表示するためのメニューキーである。
【００２０】
この携帯型表示装置１では、薄型筐体１０を片方の手で把持しながら、当該片方の手の指を薄型筐体１０の左右の端面に接触させることにより、その接触操作の操作位置が検知され、表示画面１２ａに表示中の画像を拡大させ、或いは、縮小させることができる。
【００２１】
図２は、図１の携帯型表示装置１の動作の一例を示した図であり、表示画面１２ａに表示された画像上において注目位置を指定して表示中の画像を拡大させる場合が示されている。この図では、薄型筐体１０を左手３Ｌで把持し、左手３Ｌの親指４及び人差し指５を用いて携帯型表示装置１を操作する場合が示され、表示画面１２ａには、日本地図が表示されている。ここでは、携帯型表示装置１を保持し、表示画面１２ａを閲覧中の端末操作者から見た場合の左右方向をＸ軸方向と呼び、上下方向をＹ軸方向と呼ぶことにする。
【００２２】
図中の（ａ）には、左手３Ｌの人差し指５を薄型筐体１０の右端面１０Ｒに接触させることにより、表示画面１２ａに表示中の画像に対し、注目位置の上下方向の位置を指定する場合が示されている。注目位置は、端末操作者が注目する画像上の２次元位置であり、表示画面１２ａに表示されている範囲内で任意に指定することができる。この携帯型表示装置１では、タッチパネル１２のセンサ出力を利用して、薄型筐体１０の左右の端面に対する接触操作が検知される。
【００２３】
注目位置の上下方向の位置は、右端面１０Ｒに対する接触操作の操作位置に基づいて指定される。つまり、人差し指５を右端面１０Ｒ上の所望の位置に接触させることにより、端末操作者が意図する位置を注目位置のＹ軸方向の位置として指定することができる。端末操作者が指定した注目位置のＹ軸方向の位置は、図形オブジェクト２を用いて画像上に表示される。例えば、図形オブジェクト２は、左右方向に延びる破線からなる。
【００２４】
注目位置の位置指定は、接触操作の操作終了から一定時間有効であり、この時間内であれば、端末操作者が指定した注目位置を中心として、表示中の画像を拡大又は縮小させることができる。また、接触操作の操作位置を上下方向へ移動させるスライド操作により、注目位置の上下方向の位置を変更することができる。
【００２５】
なお、注目位置の上下方向の位置を指定するのに用いる指は、人差し指５に限定されるわけではなく、親指４以外の指であれば良い。従って、中指、薬指又は小指を用いて上下方向の位置を指定することもできる。
【００２６】
図中の（ｂ）には、左手３Ｌの親指４を薄型筐体１０の左端面１０Ｌに沿って下方向へスライドさせることにより、表示画面１２ａに表示中の画像を拡大させる場合が示されている。この携帯型表示装置では、接触操作の操作位置を上下方向へ移動させるスライド操作の向きに基づいて、表示中の画像を拡大又は縮小する動作が行われる。
【００２７】
また、表示中の画像を拡大又は縮小させる際に、注目位置を表示画面１２ａ内における上下方向の略中央に移動させる動作が行われる。この様な構成により、表示中の画像を拡大させた際に、注目位置が表示画面１２ａの外に移動して視認できなくなるのを抑制することができる。なお、左手３Ｌの親指４を左端面１０Ｌに沿って上方向へスライドさせることにより、注目位置を中心として表示中の画像を縮小させることができる。
【００２８】
図３は、図１の携帯型表示装置１の動作の一例を示した図であり、左手３Ｌの人差し指５を薄型筐体１０の右端面１０Ｒに接触させた際に、人差し指５による接触エリア６を検知して注目位置のＹ軸方向の位置ｙｃを定める様子が示されている。
【００２９】
接触エリア６は、右端面１０Ｒ上の接触領域に対応する表示画面１２ａ内のエリアであり、タッチパネル１２のセンサ出力に基づいて検知される。この接触エリア６は、表示画面１２ａの右側の辺に沿って上下方向に延びている。注目位置のＹ軸方向の位置ｙｃは、検知された接触エリア６に基づいて定められる。具体的には、接触エリア６がｙ１以上ｙ２以下の区間からなる場合、当該区間を２等分する位置、すなわち、当該区間の中点（ｙ１＋ｙ２）／２により、位置ｙｃが定められる。
【００３０】
図４は、図１の携帯型表示装置１の動作の一例を示した図であり、左手３Ｌの人差し指５によるタップ操作を検知して注目位置のＸ軸方向の位置を変更する様子が示されている。この図では、注目位置のＸ軸方向及びＹ軸方向の位置を示す図形オブジェクト７が画像上に表示されている。図形オブジェクト７は、十字形状のシンボルからなる。
【００３１】
例えば、薄型筐体１０を左手３Ｌで把持し、左手３Ｌの指を用いて携帯型表示装置１を操作する場合、表示画面１２ａの右端部が注目位置のＸ軸方向の初期位置として指定される。タップ操作は、接触操作の操作終了から次の接触操作の操作開始までの操作間隔が予め定められた判定時間Ｔｔよりも短く、前後の接触操作の操作位置が略一致しているユーザ操作である。
【００３２】
この携帯型表示装置１では、薄型筐体１０の右端面１０Ｒに対する接触操作の検出結果に基づいて、左手３Ｌの人差し指５によるタップ操作が検知される。つまり、右端面１０Ｒに接触させた人差し指５を右端面１０Ｒから離間させた後、当該人差し指５を判定時間Ｔｔ以内に右端面１０Ｒの同じ位置に接触させることにより、注目位置のＸ軸方向の位置を一定量だけ左へシフトさせることができる。
【００３３】
また、上述した左手３Ｌの人差し指５によるタップ操作を繰り返すことにより、注目位置のＸ軸方向の位置を表示画面１２ａの右端部から左端部まで、段階的に移動させることができる。注目位置のＸ軸方向の位置を表示画面１２ａの左端部に移動させた後、さらにタップ操作を行うことにより、注目位置のＸ軸方向の位置を右へシフトさせることができる。
【００３４】
この携帯型表示装置１では、表示中の画像を拡大又は縮小させる際に、注目位置を表示画面１２ａ内における左右方向の略中央に移動させる動作が行われる。この様な構成により、表示中の画像を拡大させた際に、注目位置が表示画面１２ａの外に移動して視認できなくなるのを抑制することができる。なお、薄型筐体１０を右手で把持し、右手の指を用いて携帯型表示装置１を操作する場合にも、左手３Ｌで操作する場合と同様に行われる。
【００３５】
図５は、図１の携帯型表示装置１内の機能構成の一例を示したブロック図である。この携帯型表示装置１は、縮尺変更部１００、端面操作検出部１０１、左右設定切替部１０２及び画像表示部１０３により構成される。
【００３６】
左右設定切替部１０２は、ユーザ操作に基づいて、薄型筐体１０を左手で把持するのか、或いは、右手で把持するのかを規定する左右設定フラグを切り替える。例えば、メニュー画面の設定項目を選択することにより、左右設定フラグが切り替えられる。
【００３７】
画像表示部１０３は、縮尺変更部１００の出力に基づいて、タッチパネル１２の表示制御を行い、表示画面１２ａに画像を表示する。表示画面１２ａに表示される画像は、文字、記号、図形、写真などの各種情報からなり、多数のピクセルデータにより構成される。また、表示画面１２ａに表示される画像には、静止画像及び動画像がある。表示用の画像データは、外部機器から取得され、或いは、自端末で作製される。
【００３８】
端面操作検出部１０１は、タッチパネル１２の出力に基づいて、薄型筐体１０の左右の端面に対する接触操作を検出し、その検出結果を縮尺変更部１００へ出力する。この様にタッチパネル１２の出力を利用して薄型筐体１０の端面に対する接触操作を検知することにより、端面に接触検知用のセンサを別途設ける場合に比べ、携帯型表示装置１の構成が複雑化するのを抑制することができるとともに、製造コストの増大を防止することができる。
【００３９】
静電容量方式のタッチパネル１２は、指などの操作体を表示画面１２ａに近づけた際の静電容量の変化に基づいて、操作体によるタッチ操作を検出し、タッチ操作の操作位置を示す検出信号を出力する。つまり、指を表示画面１２ａに直接に接触させなくても、指を表示画面１２ａに近づけるだけで、当該指による操作位置を検出することができる。
【００４０】
端面操作検出部１０１では、この様なタッチパネル１２の特性を利用して、薄型筐体１０の左右の端面に対する接触操作が検出される。ここでいう接触操作は、薄型筐体１０の上下方向に延びる４つの稜線のうち、前面１０Ｆ側の２つの稜線のいずれかに指を接触させる操作が含まれる。
【００４１】
縮尺変更部１００は、注目位置指定部１１０及び画像変換部１２０により構成され、左右設定フラグと、端面操作検出部１０１により検出された接触操作とに基づいて、表示画面１２ａに表示された画像の拡大又は縮小を行う。ここでいう画像の拡大又は縮小は、表示画面１２ａにおける画像の表示サイズの拡大又は縮小である。
【００４２】
注目位置指定部１１０は、薄型筐体１０の左右の端面の一方に対する接触操作の操作位置に基づいて、表示画面１２ａに表示中の画像上において、注目位置を指定する。一方の端面は、親指とは反対側の端面である。接触操作の操作位置は、接触エリア６を判別することにより、検知され、左端面１０Ｌ又は右端面１０Ｒにおける上下方向の位置が操作位置として指定される。
【００４３】
画像表示部１０３は、注目位置指定部１１０により指定された注目位置の上下方向の位置及び左右方向の位置を画像上に表示する。例えば、図形オブジェクト２又は７を用いて、注目位置が表示される。
【００４４】
この注目位置指定部１１０は、タップ判別部１１１及び指判別部１１２を有し、薄型筐体１０の左右の端面の一方に対するタップ操作を判別して、注目位置の左右方向の位置を変更し、また、薄型筐体１０の左右の端面の一方に対する接触操作が１本の指による接触操作であるか否かを判別して、当該接触操作による操作入力を無効化する動作が行われる。
【００４５】
タップ判別部１１１は、端面操作検出部１０１による検出結果に基づいて、一方の端面に対するタップ操作を判別する。タップ操作は、接触操作の操作終了から次の接触操作の操作開始までの操作間隔が判定時間Ｔｔよりも短く、前後の接触操作の操作位置が略一致している操作である。注目位置指定部１１０では、一方の端面に対するタップ操作に基づいて、注目位置の左右方向の位置が変更される。
【００４６】
例えば、左右設定フラグにより、薄型筐体１０を左手３Ｌで把持することが指定されている場合、薄型筐体１０の右端面１０Ｒに対する接触操作の操作位置に応じて、注目位置の上下方向の位置が指定される。また、右端面１０Ｒに対するタップ操作に基づいて、注目位置の左右方向の位置を予め定められたシフト量Ｓだけ左へ移動させる動作が行われる。この様な構成により、左手３Ｌの指を薄型筐体１０の右端面１０Ｒに接触させるだけで、注目位置の上下方向及び左右方向の位置を任意に指定することができる。
【００４７】
一方、左右設定フラグにより、薄型筐体１０を右手で把持することが指定されている場合には、薄型筐体１０の左端面１０Ｌに対する接触操作の操作位置に応じて、注目位置の上下方向の位置が指定される。また、左端面１０Ｌに対するタップ操作に基づいて、注目位置の左右方向の位置をシフト量Ｓだけ右へ移動させる動作が行われる。この様な構成により、右手の指を薄型筐体１０の左端面１０Ｌに接触させるだけで、注目位置の上下方向及び左右方向の位置を任意に指定することができる。
【００４８】
指判別部１１２は、接触エリア６の判別結果に基づいて、一方の端面に対する接触操作が、１本の指による接触操作であるか否かを判別する。注目位置指定部１１０では、１本の指による接触操作であると判別した場合に、当該接触操作の接触位置に基づいて、注目位置の上下方向の位置が指定される。一方、２以上の指による接触操作であると判別した場合には、当該接触操作による操作入力を無効化する動作が行われる。
【００４９】
例えば、同時に検知された接触エリア６の数や接触エリア６のＹ軸方向の長さに基づいて、一方の端面に同時に接触している指の数が判別される。この様に一方の端面に接触している指の数を判別して操作入力を無効化することにより、注目位置の上下方向又は左右方向の位置が誤って変更されるのを防止することができる。
【００５０】
画像変換部１２０は、薄型筐体１０の左右の端面の他方に対する接触操作に基づいて、注目位置が表示画面１２ａ内に表示される状態を維持し、表示画面１２ａに表示中の画像を拡大又は縮小する。他方の端面は、親指側の端面である。
【００５１】
具体的には、他方の端面に対するスライド操作を判別し、スライド操作に基づいて、画像を拡大又は縮小するとともに、注目位置を表示画面１２ａの中央へ移動させる動作が行われる。
【００５２】
スライド操作は、接触操作の操作位置を上下方向へ移動させる操作であり、端面操作検出部１０１による検出結果に基づいて、判別される。例えば、他方の端面に沿って指を一方向に移動させた際の移動距離が一定量を超える接触操作がスライド操作として検知される。表示中の画像を拡大させるのか、或いは、縮小させるのかは、スライド操作の向きによって決定される。
【００５３】
具体的には、左右設定フラグにより、薄型筐体１０を左手３Ｌで把持することが指定されている場合、薄型筐体１０の左端面１０Ｌに対するスライド操作の向きに応じて、表示中の画像が拡大又は縮小される。
【００５４】
例えば、左端面１０Ｌに沿って指を下方向へスライドさせることにより、予め定められた拡大率Ｅで、表示中の画像が拡大される。この拡大処理は、注目位置を中心として行われ、注目位置を表示画面１２ａにおける上下方向及び左右方向の中央へ移動させる動作が行われる。ユーザが指定した注目位置の２次元位置にかかわらず、拡大後の画像において注目位置を容易に識別することができることから、拡大時には、注目位置を表示画面１２ａにおける上下方向及び左右方向の略中央に移動させることが望ましい。
【００５５】
また、左端面１０Ｌに沿って指を上方向へスライドさせることにより、予め定められた縮小率Ｒで、表示中の画像が縮小される。この縮小処理は、注目位置を中心として行われ、注目位置を表示画面１２ａにおける上下方向及び左右方向の中央へ移動させる動作が行われる。例えば、縮小率Ｒは、１／Ｅである。
【００５６】
この様な構成により、左手３Ｌの親指４を薄型筐体１０の左端面１０Ｌに接触させ、上方向又は下方向に移動させるだけで、表示中の画像を拡大させ、或いは、縮小させることができる。
【００５７】
一方、左右設定フラグにより、薄型筐体１０を右手で把持することが指定されている場合には、薄型筐体１０の右端面１０Ｒに対するスライド操作の向きに応じて、表示中の画像が拡大又は縮小される。
【００５８】
例えば、右端面１０Ｒに沿って指を下方向へスライドさせることにより、拡大率Ｅで表示中の画像が拡大される。また、右端面１０Ｒに沿って指を上方向へスライドさせることにより、縮小率Ｒで表示中の画像が縮小される。この様な構成により、右手の親指４を薄型筐体１０の右端面１０Ｒに接触させ、上方向又は下方向に移動させるだけで、表示中の画像を拡大させ、或いは、縮小させることができる。
【００５９】
表示中の画像を拡大又は縮小する際に、注目領域が表示画面１２ａの略中央に移動させるので、表示中の画像を拡大させた際に、注目領域が表示画面１２ａの外に移動して視認できなくなるのを防止することができる。
【００６０】
＜画像変換部１２０＞
図６は、図５の画像変換部１２０の構成例を示した図であり、図中の（ａ）には、画像変換部１２０内の機能構成が示され、（ｂ）には、他方の端面に対するスライド操作をトリガとして表示画Ａが表示画Ｂに拡大又は縮小される様子が示されている。
【００６１】
この画像変換部１２０は、元画像記憶部１２１、表示画像生成部１２２及び表示画像記憶部１２３により構成される。元画像記憶部１２１には、縮尺変更元の画像が元画像として保持される。表示画像生成部１２２は、元画像記憶部１２１に保持された元画像に基づいて、画面表示用の画像を表示画像として生成し、表示画像記憶部１２３内に格納する。例えば、他方の端面に対するスライド操作をトリガとして、元画像から表示画像が生成される。
【００６２】
表示画像記憶部１２３には、表示画像生成部１２２より作製された表示画像が保持される。表示画像生成部１２２は、表示画像記憶部１２３から表示画像を読み出して画像表示部１０３へ出力する。画像表示部１０３は、表示画像生成部１２２から取得した表示画像を表示画面１２ａに表示する。
【００６３】
元画像のピクセル数が表示画面１２ａの画素数に比べて多い場合、元画像の画像サイズを縮小することにより、表示画像が作製される。例えば、元画像の縮小処理は、ピクセルデータを表示画面１２ａのサイズに応じて間引くことによって行われる。従って、表示画Ａを表示画Ｂに拡大又は縮小する処理は、共通の元画像から表示画Ａ及びＢを生成する際の縮小率を異ならせることによって行われる。
【００６４】
例えば、表示画Ａを表示画Ｂに拡大する場合、元画像から表示画Ａを作製する際の縮小率Ｒａよりも低い縮小率Ｒｂで、元画像から表示画Ｂが作製される。一方、表示画Ａを表示画Ｂに縮小する場合には、元画像から表示画Ａを作製する際の縮小率Ｒａよりも高い縮小率Ｒｂで、元画像から表示画Ｂが作製される。
【００６５】
表示画像生成部１２２は、元画像から表示画像を作製する際に、表示画面１２ａのサイズ及び縮小率に合わせて元画像から切り出す領域を指定する。表示画像は、この領域内の画像データに対してピクセルデータの間引き処理を行うことによって、作製される。元画像から切り出す領域は、注目位置指定部１１０により措定された注目位置の上下方向及び左右方向の位置に基づいて、指定される。
【００６６】
図７及び図８のステップＳ１０１〜Ｓ１１３は、図５の携帯型表示装置１における縮尺変更モード時の動作の一例を示したフローチャートである。図中には、縮尺変更モードが選択されている場合の処理手順が示されている。縮尺変更モードは、薄型筐体１０の左右の端面に対する接触操作を検知して、表示中の画像の拡大又は縮小を行う動作モードである。
【００６７】
まず、画像変換部１２０は、端面操作検出部１０１により接触操作が検出されれば（ステップＳ１０１）、薄型筐体１０の左右の端面のいずれに対する接触操作であるのかを判別し（ステップＳ１０２）、親指側の端面に対する接触操作である場合に、操作位置の移動量に基づいて、スライド操作を判別する（ステップＳ１０３，Ｓ１０４）。
【００６８】
このとき、画像変換部１２０は、下方向へのスライド操作であれば、表示中の画像を拡大し（ステップＳ１０５，Ｓ１０６）、注目位置を表示画面１２ａの上下方向及び左右方向の略中央に移動させる（ステップＳ１０７）。一方、画像変換部１２０は、上方向へのスライド操作であれば、表示中の画像を縮小し（ステップＳ１０５，Ｓ１０８）、注目位置を表示画面１２ａの上下方向及び左右方向の略中央に移動させる（ステップＳ１０７）。画像変換部１２０は、スライド操作が行われなかった場合、この処理を終了する。
【００６９】
次に、注目位置指定部１１０は、親指とは反対側の端面に対する接触操作である場合に、指の接触エリア６を判別する（ステップＳ１０３，Ｓ１０９）。注目位置指定部１１０は、親指とは反対側の端面に接触している指の数を判別し、接触操作が１本の指による接触操作である場合に、当該接触操作の接触位置に基づいて、注目領域の上下方向の位置を指定する。（ステップＳ１１０，Ｓ１１１）。
【００７０】
一方、注目位置指定部１１０は、親指とは反対側の端面に対する接触操作が２以上の指による接触操作である場合に、当該接触操作による操作入力を無効化し、この処理を終了する。次に、注目位置指定部１１０は、親指とは反対側の端面に対するタップ操作を判別し、タップ操作が検知されれば、当該タップ操作に基づいて、注目位置の左右方向の位置を変更する（ステップＳ１１２，Ｓ１１３）。
【００７１】
本実施の形態によれば、薄型筐体１０の他方の端面に対する接触操作を検出し、接触位置を上下方向へ移動させるスライド操作の向きに応じて、表示中の画像を拡大又は縮小するので、薄型筐体１０を片方の手で把持しながら、当該片方の手の指で表示中の画像を拡大させ、或いは、縮小させる際の操作性を向上させることができる。
【００７２】
また、薄型筐体１０の一方の端面に対する接触操作を検出し、接触操作の操作位置に基づいて、注目位置を指定するので、ユーザは、表示画面１２ａに表示された画像上の任意の位置を注目位置として指定することができる。また、薄型筐体１０を片方の手で把持しながら、当該片方の手の指で注目位置を指定する際の操作性を向上させることができる。特に、指を表示画面１２ａに直接に接触させる操作方法に比べ、指が所望の位置に届き難いということがないので、片手で操作する際の操作性が著しく向上する。
【００７３】
さらに、表示中の画像を拡大又は縮小する際に、注目位置を表示画面１２ａの上下方向及び左右方向の略中央に移動させるので、表示中の画像を拡大させた際に、注目位置が表示画面１２ａの外に移動して視認できなくなるのを抑制することができる。
【００７４】
なお、本実施の形態では、薄型筐体１０の他方の端面に対する下方向のスライド操作によって表示中の画像を拡大させ、上方向のスライド操作によって表示中の画像を縮小させる場合の例について説明したが、本発明は、スライド操作の方向と拡大又は縮小との対応関係をこれに限定するものではない。例えば、薄型筐体１０の他方の端面に対する下方向のスライド操作によって表示中の画像を縮小させ、上方向のスライド操作によって表示中の画像を拡大させるような構成であっても良い。
【００７５】
また、本実施の形態では、薄型筐体１０の他方の端面に対するスライド操作時に、一定の拡大率Ｅで表示中の画像が拡大され、或いは、一定の縮小率Ｒで表示中の画像が縮小される場合の例について説明したが、本発明は、スライド操作に基づく画像の縮尺変更の方法をこれに限定するものではない。例えば、スライド操作の移動量に応じて、拡大率Ｅ又は縮小率Ｒを変化させるような構成であっても良い。
【００７６】
また、本実施の形態では、タッチパネル１２の出力を利用して薄型筐体１０の左右の端面に対する接触操作が検知される場合の例について説明したが、本発明は、薄型筐体１０の左右の端面に対する接触操作の検知方法をこれに限定するものではない。例えば、タッチパネル１２とは別個に、指の接触を検出するタッチセンサを薄型筐体１０の左右の端面にそれぞれ配置し、このタッチセンサの出力を利用して、薄型筐体１０の左右の端面に対する接触操作を検知するような構成であっても良い。
【００７７】
また、本実施の形態では、画像の拡大又は縮小時に、注目位置を表示画面１２ａの上下方向及び左右方向の略中央に移動させる場合の例について説明したが、本発明は、表示中の画像を拡大した際に、注目位置が表示画面１２ａ内に表示されていれば良い。従って、本発明には、画像縮尺の変更前後において、注目位置が表示画面１２ａ上で動かないような構成のものも含まれる。
【００７８】
また、本実施の形態では、携帯型表示装置１が携帯電話機である場合の例について説明したが、本発明は、携帯型表示装置１を携帯電話機に限定するものではない。例えば、タブレット端末、ＰＤＡ（Personal Digital Assistant：携帯情報端末）、携帯型ゲーム機器、携帯型音楽プレーヤーにも本発明は適用することができる。
【００７９】
本発明の実施の形態による携帯型表示装置１の構成と対応する作用効果とを以下に整理してまとめる。
第１の本発明による携帯型表示装置１は、略矩形の前面１０Ｆを有する薄型筐体１０と、前面１０Ｆに設けられた表示画面１２ａと、薄型筐体１０の左右の端面に対する接触操作を検出する端面操作検出部１０１と、表示画面１２ａに画像を表示する画像表示部１０３と、接触操作に基づいて、画像の拡大又は縮小を行う縮尺変更部１００とを備え、縮尺変更部１００が、端面の一方に対する接触操作の操作位置に基づいて、画像上において注目位置を指定する注目位置指定部１１０と、端面の他方に対する接触操作に基づいて、注目位置が表示画面１２ａ内に表示される状態を維持し、画像を拡大又は縮小する画像変換部１２０とを有するように構成される。
【００８０】
この様な構成によれば、薄型筐体１０を片方の手で把持しながら、当該片方の手の指で表示中の画像を拡大又は縮小させる際の操作性を向上させることができる。また、ユーザは、画像上の任意の位置を注目位置として指定することができる。また、薄型筐体１０を片方の手で把持しながら、当該片方の手の指で注目位置を指定する際の操作性を向上させることができる。さらに、表示中の画像を拡大させた際に、注目位置が表示画面１２ａの外に移動して視認できなくなるのを抑制することができる。
【００８１】
第２の本発明による携帯型表示装置１は、上記構成に加え、注目位置指定部１１０が、接触操作の操作位置に基づいて、注目位置の上下方向の位置を指定するように構成される。この様な構成によれば、一方の端面に指を接触させるだけで、注目位置の上下方向の任意の位置を指定することができる。
【００８２】
第３の本発明による携帯型表示装置１は、上記構成に加え、注目位置指定部１１０が、一方の端面に対するタップ操作を判別し、タップ操作に基づいて、注目位置の左右方向の位置を変更するように構成される。この様な構成によれば、一方の端面に対してタップ操作を行うことにより、注目位置の左右方向の任意の位置を指定することができる。
【００８３】
第４の本発明による携帯型表示装置１は、上記構成に加え、画像変換部１２０が、画像の拡大又は縮小時に、注目位置を表示画面１２ａにおける上下方向の略中央に移動させるように構成される。この様な構成によれば、ユーザが指定した注目位置の上下方向の位置にかかわらず、拡大後の画像において注目位置を容易に識別することができる。
【００８４】
第５の本発明による携帯型表示装置１は、上記構成に加え、注目位置指定部１１０が、一方の端面に対する接触操作が、１本の指による接触操作であるか否かを判別し、２以上の指による接触操作であると判別した場合に、当該接触操作による操作入力を無効化するように構成される。この様な構成によれば、注目位置の上下方向又は左右方向の位置が誤って変更されるのを抑制することができる。
【符号の説明】
【００８５】
１  携帯型表示装置
２，７  図形オブジェクト
３Ｌ  左手
４  親指
５  人差し指
６  接触エリア
１０  薄型筐体
１０Ｆ  前面
１０Ｌ  左端面
１０Ｒ  右端面
１２  タッチパネル
１２ａ  表示画面
１００  縮尺変更部
１０１  端面操作検出部
１０２  左右設定切替部
１０３  画像表示部
１１０  注目位置指定部
１１１  タップ判別部
１１２  指判別部
１２０  画像変換部
【図１】
2016018436.tif 000003
【図２】
2016018436.tif 000004
【図３】
2016018436.tif 000005
【図４】
2016018436.tif 000006
【図５】
2016018436.tif 000007
【図６】
2016018436.tif 000008
【図７】
2016018436.tif 000009
【図８】
2016018436.tif 000010